(57)【要約】  【課題】適切な品質の再生信号が得られる記録パルスを短時間で設定することのできる光情報記録装置及び光情報記録方法を提供する。  【解決手段】標準記録条件から所定の記録パルスのピークパワーＰｏを変化させた記録条件でテスト記録を行い、該テスト記録の再生信号をジッタの値に基づいて標準記録条件における所定の記録パルスのピークパワーＰｏを調整し、所定の記録パルスのピークパワーＰｏが調整された記録条件から中間パルス２２を備える所定の記録パルスの中間パワーＰｍ又は中間単位パルス幅Ｔｍｐを変化させた記録条件でテスト記録を行い、該テスト記録の再生信号をジッタの値に基づいてピークパワーＰｏ調整後の記録条件における中間パルス２２を備える所定の記録パルスの中間パワーＰｍ又は中間単位パルス幅Ｔｍｐを調整する。【選択図】  図６
2008159173.tif 000002
【特許請求の範囲】
【請求項１】
光情報記録媒体に記録された媒体識別情報を読み取り、該媒体識別情報に設定された標準記録条件から調整した記録条件に基づくレーザ光を照射することにより、記録マークとスペースとからなる記録マーク列を光情報記録媒体に形成して情報を記録する光情報記録装置であって、
前記標準記録条件は長さの異なる複数の記録パルスを含み、前記記録パルスはトップパルスと中間パルスとラストパルスのうち少なくともトップパルスを備え、
該標準記録条件から所定の記録パルスの所定パワーを変化させた記録条件でテスト記録を行い、該テスト記録の再生信号を評価する第１評価項目の値に基づいて標準記録条件における所定の記録パルスの所定パワーを調整するパワー調整手段と、
パワー調整手段により所定の記録パルスの所定パワーが調整された記録条件から中間パルスを備える所定の記録パルスの中間パルスの所定条件を変化させた所定の記録条件でテスト記録を行い、該テスト記録の再生信号を評価する第２評価項目の値に基づいてパワー調整手段により所定の記録パルスの所定パワーが調整された記録条件における中間パルスを備える所定の記録パルスの中間パルスの所定条件を調整する中間パルス調整手段とを備えた
ことを特徴とする光情報記録装置。
【請求項２】
前記標準記録条件をあらかじめ記憶する記憶手段を備えた
ことを特徴とする請求項１に記載の光情報記録装置。
【請求項３】
前記標準記録条件が光情報記録媒体に記録されており、
光情報記録媒体に記録された標準記録条件に基づいて記録条件の調整を行う
ことを特徴とする請求項１又は２に記載の光情報記録装置。
【請求項４】
前記標準記録条件は最短記録マークの記録パルスの長さを含む
ことを特徴とする請求項１乃至３の何れかに記載の光情報記録装置。
【請求項５】
前記標準記録条件は最短記録マーク以外の記録マークの記録パルスにおける各トップパルスのパルス幅を含む
ことを特徴とする請求項１乃至４の何れかに記載の光情報記録装置。
【請求項６】
前記標準記録条件は最短記録マーク以外の全ての記録マークの記録パルスにおけるラストパルスのパルス幅を含む
ことを特徴とする請求項１乃至５の何れかに記載の光情報記録装置。
【請求項７】
前記標準記録条件は各記録パルスの長さからの各開始位相の調整量と各終了位相の調整量とを含む
ことを特徴とする請求項１乃至６の何れかに記載の光情報記録装置。
【請求項８】
前記標準記録条件は所定の記録パルスにおける所定パワーの調整範囲を含む
ことを特徴とする請求項１乃至７の何れかに記載の光情報記録装置。
【請求項９】
前記標準記録条件は中間パルスを備える所定の記録パルスにおけるトップパルスのパワーと中間パルスのパワーとのパワー比率を含む
ことを特徴とする請求項１乃至８の何れかに記載の光情報記録装置。
【請求項１０】
前記パワー調整手段における所定パワーとしてトップパルスのパワーを用いる
ことを特徴とする請求項１乃至８の何れかに記載の光情報記録装置。
【請求項１１】
前記パワー調整手段における所定パワーとしてトップパルスのパワー及び中間パルスのパワーを用い、
パワー調整手段における所定の記録パルスとして中間パルスを備える所定の記録パルスを用い、
パワー調整手段は、標準記録条件のパワー比率を保つように標準記録条件から中間パルスを備える全ての記録パルスのトップパルスのパワー及び中間パルスのパワーを変化させる手段を有する
ことを特徴とする請求項９に記載の光情報記録装置。
【請求項１２】
前記中間パルス調整手段における所定条件として中間パルスを構成する単位パルスのパルス幅を用いる
ことを特徴とする請求項１乃至１１の何れかに記載の光情報記録装置。
【請求項１３】
前記中間パルス調整手段における所定条件として中間パルスのパワーを用いる
ことを特徴とする請求項１乃至１１の何れかに記載の光情報記録装置。
【請求項１４】
前記第１評価項目としてジッタを用いる
ことを特徴とする請求項１乃至１３に記載の光情報記録装置。
【請求項１５】
前記第１評価項目としてエラーレートを用いる
ことを特徴とする請求項１乃至１３に記載の光情報記録装置。
【請求項１６】
前記第１評価項目として再生信号のアシンメトリ値を用いる
ことを特徴とする請求項１乃至１３に記載の光情報記録装置。
【請求項１７】
前記第１評価項目として再生信号のβ値を用いる
ことを特徴とする請求項１乃至１３に記載の光情報記録装置。
【請求項１８】
前記第２評価項目としてジッタを用いる
ことを特徴とする請求項１乃至１７に記載の光情報記録装置。
【請求項１９】
前記第２評価項目としてエラーレートを用いる
ことを特徴とする請求項１乃至１７に記載の光情報記録装置。
【請求項２０】
前記第２評価項目として所定の記録マークの位相検出値を用いる
ことを特徴とする請求項１乃至１７の何れかに記載の光情報記録装置。
【請求項２１】
前記第２評価項目としてテスト記録の再生信号と理論上の再生信号とのユークリッド距離を用いる
ことを特徴とする請求項１乃至１７の何れかに記載の光情報記録装置。
【請求項２２】
前記第２評価項目として所定の記録マークにおけるテスト記録の再生信号による長さと理論上の再生信号による長さとの差を用いる
ことを特徴とする請求項１乃至１７の何れかに記載の光情報記録装置。
【請求項２３】
前記中間パルス調整手段における所定の記録パターンは最短スペースを含み、
第２評価項目として再生信号における最短スペースの振幅を用いる
ことを特徴とする請求項１乃至１７に記載の光情報記録装置。
【請求項２４】
光情報記録媒体に記録された媒体識別情報を読み取り、該媒体識別情報に設定された標準記録条件から調整した記録条件に基づくレーザ光を照射することにより、記録マークとスペースとからなる記録マーク列を光情報記録媒体に形成して情報を記録する光情報記録方法であって、
前記標準記録条件は長さの異なる複数の記録パルスを含み、前記記録パルスはトップパルスと中間パルスとラストパルスのうち少なくともトップパルスを備え、
該標準記録条件から所定の記録パルスの所定パワーを変化させた記録条件でテスト記録を行い、該テスト記録の再生信号を評価する第１評価項目の値に基づいて標準記録条件における所定の記録パルスの所定パワーを調整し、
所定の記録パルスの所定パワーが調整された記録条件から中間パルスを備える所定の記録パルスの中間パルスの所定条件を変化させた記録条件でテスト記録を行い、該テスト記録の再生信号を評価する第２評価項目の値に基づいて所定の記録パルスの所定パワーが調整された記録条件における中間パルスを備える所定の記録パルスの中間パルスの所定条件を調整する
ことを特徴とする光情報記録方法。
【請求項２５】
前記標準記録条件はあらかじめ記憶されている
ことを特徴とする請求項２４に記載の光情報記録方法。
【請求項２６】
前記標準記録条件が光情報記録媒体に記録されており、
光情報記録媒体に記録された標準記録条件に基づいて記録条件の調整を行う
ことを特徴とする請求項２４又は２５に記載の光情報記録方法。
【請求項２７】
前記標準記録条件は最短記録マークの記録パルスの長さを含む
ことを特徴とする請求項２４乃至２６の何れかに記載の光情報記録方法。
【請求項２８】
前記標準記録条件は最短記録マーク以外の記録マークの記録パルスにおける各トップパルスのパルス幅を含む
ことを特徴とする請求項２４乃至２７の何れかに記載の光情報記録方法。
【請求項２９】
前記標準記録条件は最短記録マーク以外の全ての記録マークの記録パルスにおけるラストパルスのパルス幅を含む
ことを特徴とする請求項２４乃至２８の何れかに記載の光情報記録方法。
【請求項３０】
前記標準記録条件は各記録パルスの長さからの各開始位相の調整量と各終了位相の調整量とを含む
ことを特徴とする請求項２４乃至２９の何れかに記載の光情報記録方法。
【請求項３１】
前記標準記録条件は所定の記録パルスにおける所定パワーの調整範囲を含む
ことを特徴とする請求項２４乃至３０の何れかに記載の光情報記録方法。
【請求項３２】
前記標準記録条件は中間パルスを備える所定の記録パルスにおけるトップパルスのパワーと中間パルスのパワーとのパワー比率を含む
ことを特徴とする請求項２４乃至３１の何れかに記載の光情報記録方法。
【請求項３３】
前記パワー調整時における所定パワーとしてトップパルスのパワーを用いる
ことを特徴とする請求項２４乃至３１の何れかに記載の光情報記録方法。
【請求項３４】
前記パワー調整時における所定パワーとしてトップパルスのパワー及び中間パルスのパワーを用い、
パワー調整手段における所定の記録パルスとして中間パルスを備える所定の記録パルスを用い、
パワー調整時に、標準記録条件のパワー比率を保つように標準記録条件から中間パルスを備える全ての記録パルスのトップパルスのパワー及び中間パルスのパワーを変化させる
ことを特徴とする請求項３２に記載の光情報記録方法。
【請求項３５】
前記中間パルス調整時における所定条件として中間パルスを構成する単位パルスのパルス幅を用いる
ことを特徴とする請求項２４乃至３４の何れかに記載の光情報記録方法。
【請求項３６】
前記中間パルス調整時における所定条件として中間パルスのパワーを用いる
ことを特徴とする請求項１乃至３４の何れかに記載の光情報記録方法。
【請求項３７】
前記第１評価項目としてジッタを用いる
ことを特徴とする請求項２４乃至３６に記載の光情報記録方法。
【請求項３８】
前記第１評価項目としてエラーレートを用いる
ことを特徴とする請求項２４乃至３６に記載の光情報記録方法。
【請求項３９】
前記第１評価項目として再生信号のアシンメトリ値を用いる
ことを特徴とする請求項２４乃至３６に記載の光情報記録方法。
【請求項４０】
前記第１評価項目として再生信号のβ値を用いる
ことを特徴とする請求項２４乃至３６に記載の光情報記録方法。
【請求項４１】
前記第２評価項目としてジッタを用いる
ことを特徴とする請求項２４乃至４０に記載の光情報記録方法。
【請求項４２】
前記第２評価項目としてエラーレートを用いる
ことを特徴とする請求項２４乃至４０に記載の光情報記録方法。
【請求項４３】
前記第２評価項目として所定の記録マークの位相検出値を用いる
ことを特徴とする請求項２４乃至４０の何れかに記載の光情報記録方法。
【請求項４４】
前記第２評価項目としてテスト記録の再生信号と理論上の再生信号とのユークリッド距離を用いる
ことを特徴とする請求項２４乃至４０の何れかに記載の光情報記録方法。
【請求項４５】
前記第２評価項目として所定の記録マークにおけるテスト記録の再生信号による長さと理論上の再生信号による長さとの差を用いる
ことを特徴とする請求項２４乃至４０の何れかに記載の光情報記録方法。
【請求項４６】
前記中間パルス調整時における所定の記録パターンは最短スペースを含み、
第２評価項目として再生信号における最短スペースの振幅を用いる
ことを特徴とする請求項２４乃至４０に記載の光情報記録方法。
【発明の詳細な説明】
【技術分野】
【０００１】
本発明は、例えばＣＤ−Ｒ、ＤＶＤ−Ｒ、ＤＶＤ−ＲＡＭ等の書込み可能な光情報記録媒体に情報を記録する光情報記録装置、及び光情報記録方法に関するものである。
【背景技術】
【０００２】
従来、この種の光情報記録装置（以下、単にドライブという）において、ＣＤ−Ｒ、ＤＶＤ−Ｒ、ＤＶＤ−ＲＡＭ等の記録可能な光情報記録媒体（以下、単にディスクという）にデータを記録する場合、一般的に、ディスク側にメディアを識別するためのメディアＩＤを記録するとともに、ドライブ側にメディアＩＤごとにあらかじめ用意された標準記録条件を記憶しておき、実際にディスクにデータを記録する場合、ドライブは装填されたディスクからメディアＩＤを読み込んで、当該メディアＩＤに対応する標準記録条件に基づき記録パルス変調したレーザ光を照射して記録していた。
【０００３】
しかし、従来のものでは、ドライブを構成する部品、組立て精度等によるドライブ側のばらつき、及びディスクを構成する材料、製造精度等によるディスク側のばらつきが存在するため、標準のドライブ及び標準のディスクに対して設定された標準記録条件で記録しても適切な品質の再生信号が得られない場合があった。
【０００４】
この問題を解決するために、トップパルス、中間パルス、及びラストパルスから構成される記録パルスにおいて、標準記録条件の記録パルスでテスト記録を行い、テスト記録の再生信号と理想とする再生信号とのずれから標準記録条件の記録パルスにおけるトップパルス及びラストパルスの位置を修正して、修正された記録パルスに基づいて記録するようにしたもの（例えば、特許文献１参照）や、標準記録条件の記録パルスからトップパルスの位置及び幅、中間パルスの幅、ラストパルスの位置を適宜変化させた記録パルスでテスト記録を行い、テスト記録の再生信号におけるジッタが最良となる条件を設定して、設定された条件の記録パルスに基づいて記録するようにしたものが知られている（例えば、特許文献２参照）。
【特許文献１】特開２００４−２８１０４６号公報
【特許文献２】特開２００４−２１３８６５号公報
【発明の開示】
【発明が解決しようとする課題】
【０００５】
しかしながら、上記特許文献１に記載されたものは、トップパルス及びラストパルスのそれぞれについて９通りの修正値を求めるため、記録マークとスペースの組み合わせによる多くのパターンでテスト記録を行う必要があり、標準記録条件の記録パルスの修正に時間がかかるという問題点があった。
【０００６】
また、上記特許文献２に記載されたものでは、トップパルスの位置及び幅、中間パルスの幅、ラストパルスの位置等、記録パルスの変更条件となるパラメータの数が多く、また各記録パルスについてそれぞれパラメータを変更するため、記録パルスの設定に時間がかかるという問題点があった。
【０００７】
本発明は、上記事情に鑑みてなされたものであり、その目的とするところは、適切な品質の再生信号が得られる記録パルスを短時間で設定することのできる光情報記録装置及び光情報記録方法を提供することにある。
【課題を解決するための手段】
【０００８】
本発明は前記目的を達成するために、光情報記録媒体に記録された媒体識別情報を読み取り、該媒体識別情報に設定された標準記録条件から調整した記録条件に基づくレーザ光を照射することにより、記録マークとスペースとからなる記録マーク列を光情報記録媒体に形成して情報を記録する光情報記録装置であって、前記標準記録条件は長さの異なる複数の記録パルスを含み、前記記録パルスはトップパルスと中間パルスとラストパルスのうち少なくともトップパルスを備え、該標準記録条件から所定の記録パルスの所定パワーを変化させた記録条件でテスト記録を行い、該テスト記録の再生信号を評価する第１評価項目の値に基づいて標準記録条件における所定の記録パルスの所定パワーを調整するパワー調整手段と、パワー調整手段により所定の記録パルスの所定パワーが調整された記録条件から中間パルスを備える所定の記録パルスの中間パルスの所定条件を変化させた所定の記録条件でテスト記録を行い、該テスト記録の再生信号を評価する第２評価項目の値に基づいてパワー調整手段により所定の記録パルスの所定パワーが調整された記録条件における中間パルスを備える所定の記録パルスの中間パルスの所定条件を調整する中間パルス調整手段とを備えた光情報記録装置を提案する。
【０００９】
この光情報記録装置によれば、標準記録条件から所定の記録パルスの所定パワーを変化させた記録条件でテスト記録が行われ、該テスト記録の再生信号を評価する第１評価項目の値に基づいて標準記録条件における所定の記録パルスの所定パワーが調整されるとともに、所定の記録パルスの所定パワーが調整された記録条件から中間パルスを備える所定の記録パルスの中間パルスの所定条件を変化させた記録条件でテスト記録が行われ、該テスト記録の再生信号を評価する第２評価項目の値に基づいてパワー調整手段により所定の記録パルスの所定パワーが調整された記録条件における中間パルスを備える所定の記録パルスの中間パルスの所定条件が調整されるので、従来のように多くの記録条件でテスト記録を行ったり、標準記録条件から記録パルスの多くのパラメータを変更したり、記録マークごとにパラメータを変更したりする必要がない。
【００１０】
ここで、記録パルスにおけるパワーと中間パルスとはディスクに形成される記録マーク列の品質、すなわち再生信号の品質への影響が最も大きい。従って、標準記録条件から記録パルスの所定パワーと中間パルスの所定条件とを変化させて調整することにより、再生信号の品質を向上させることができる。
【００１１】
また、本発明は前記目的を達成するために、光情報記録媒体に記録された媒体識別情報を読み取り、該媒体識別情報に設定された標準記録条件から調整した記録条件に基づくレーザ光を照射することにより、記録マークとスペースとからなる記録マーク列を光情報記録媒体に形成して情報を記録する光情報記録方法であって、前記標準記録条件は長さの異なる複数の記録パルスを含み、前記記録パルスはトップパルスと中間パルスとラストパルスのうち少なくともトップパルスを備え、該標準記録条件から所定の記録パルスの所定パワーを変化させた記録条件でテスト記録を行い、該テスト記録の再生信号を評価する第１評価項目の値に基づいて標準記録条件における所定の記録パルスの所定パワーを調整し、所定の記録パルスの所定パワーが調整された記録条件から中間パルスを備える所定の記録パルスの中間パルスの所定条件を変化させた記録条件でテスト記録を行い、該テスト記録の再生信号を評価する第２評価項目の値に基づいて所定の記録パルスの所定パワーが調整された記録条件における中間パルスを備える所定の記録パルスの中間パルスの所定条件を調整する光情報記録方法を提案する。
【００１２】
この光情報記録方法によれば、標準記録条件から所定の記録パルスの所定パワーを変化させた記録条件でテスト記録が行われ、該テスト記録の再生信号を評価する第１評価項目の値に基づいて標準記録条件における所定の記録パルスの所定パワーが調整されるとともに、所定の記録パルスの所定パワーが調整された記録条件から中間パルスを備える所定の記録パルスの中間パルスの所定条件を変化させた記録条件でテスト記録が行われ、該テスト記録の再生信号を評価する第２評価項目の値に基づいて所定の記録パルスの所定パワーが調整された記録条件における中間パルスを備える所定の記録パルスの中間パルスの所定条件が調整されるので、従来のように多くの記録条件でテスト記録を行ったり、標準記録条件から記録パルスの多くのパラメータを変更したり、記録マークごとにパラメータを変更したりする必要がない。
【００１３】
ここで、記録パルスにおけるパワーと中間パルスとはディスクに形成される記録マーク列の品質、すなわち再生信号の品質への影響が最も大きい。従って、標準記録条件から記録パルスの所定パワーと中間パルスの所定条件とを変化させて調整することにより、再生信号の品質を向上させることができる。
【発明の効果】
【００１４】
本発明に係る光情報記録装置によれば、従来のように多くの記録条件でテスト記録を行ったり、標準記録条件から記録パルスの多くのパラメータを変更したり、記録マークごとにパラメータを変更したりする必要がないとともに、記録パルスにおけるパワーと中間パルスとはディスクに形成される記録マーク列の品質、すなわち再生信号の品質への影響が最も大きいので、標準記録条件から記録パルスの所定パワーと中間パルスの所定条件とを変化させて調整することにより、再生信号の品質を向上させることができるから、標準記録条件を短時間で調整することができ、再生信号におけるドライブのばらつき及びディスクのばらつきによる影響を少なくする適切な品質の再生信号が得られる記録パルスを短時間で設定することができる。
【００１５】
また、本発明に係る光情報記録方法によれば、従来のように多くの記録マークでテスト記録を行ったり、標準記録条件から記録パルスの多くのパラメータを変更したり、記録マークごとにパラメータを変更したりする必要がないとともに、記録パルスにおけるパワーと中間パルスとはディスクに形成される記録マーク列の品質、すなわち再生信号の品質への影響が最も大きいので、標準記録条件から記録パルスの所定パワーと中間パルスの所定条件とを変化させて調整することにより、再生信号の品質を向上させることができるから、標準記録条件を短時間で調整することができ、再生信号におけるドライブのばらつき及びディスクのばらつきによる影響を少なくする適切な品質の再生信号が得られる記録パルスを短時間で設定することができる。
【発明を実施するための最良の形態】
【００１６】
図１乃至図６は本発明の第１実施形態を示すもので、図１は光情報記録装置の概略ブロック図、図２は図１に示したストラテジ回路で生成される記録パルスの構成を説明する概念図、図３は図２に示した記録パルスの他の例を示す概念図、図４は図１に示した記憶回路に記録パルスの標準記録条件を設定する標準記録条件設定処理のフローチャート、図５は図１に示したディスクの変形例を示す平面図、図６は図１に示したストラテジ決定部で標準記録条件を調整する方法を説明する概念図である。
【００１７】
図１に示すように、光情報記録装置（以下、単にドライブという）１００は、エンコーダ１０１、ストラテジ回路１０２、レーザ発振器１０３、コリメータレンズ１０４、ハーフミラー１０５、対物レンズ１０６、集光レンズ１０７、受光部１０８、信号検出回路１０９、符号判定回路１１０、デコード１１１、制御回路１１２、符号判定回路１１５、及び記憶回路１１３から構成されており、記録可能な光情報記録媒体（以下、単にディスクという）１０に対してレーザ光を照射して情報の記録又は再生を行う。なお、ディスク１０として、ＣＤ−ＲやＤＶＤ−Ｒに代表される色素型メディアやＣＤ−ＲＷやＤＶＤ−ＲＷに代表される相変化型メディア等の各種光情報媒体を使用することが可能である。
【００１８】
エンコーダ１０１は、所定の記録情報に対応した記録信号を符号化するためのものであり、所定の符号化方式、例えばＥＦＭ（Eight to Fourteen Modulation）で符号化した記録データをストラテジ回路１０２に出力している。
【００１９】
ストラテジ回路１０２には、レーザ光の照射条件であるライトストラテジを設定するためのものであり、所定のライトストラテジの各種パラメータが設定されている。ストラテジ回路１０２は、後述する制御回路１１２から入力される制御信号に基づいてストラテジの各種パラメータを補正して、ディスク１０に所望の記録状態が得られるであろう記録パルスを生成し、レーザ発振器１０３に出力している。
【００２０】
レーザ発振器１０３は、記録パルスに対応して出力するレーザ光の強度やパルス幅を制御し、制御されたレーザ光をコリメータレンズ１０４、ハーフミラー１０５、及び対物レンズ１０６を介して線速度一定又は角速度度一定で回転するディスク１０に照射している。これにより、ディスク１０の記録層に記録マークとスペース（記録マークと記録マークとの間）とからなる記録マーク列が形成され、所定の記録情報が記録される。
【００２１】
これに対してディスク１０の記録層に記録された情報を再生する場合、レーザ発振器１０３は、一様な再生レーザ光をコリメータレンズ１０４、ハーフミラー１０５、及び対物レンズ１０６を介して線速度一定又は角速度一定で回転するメディア１０に照射している。
【００２２】
再生レーザ光は記録時のレーザ光よりも強度の弱い再生レーザ光が用いられており、受光部１０８は、再生レーザ光によるディスク１０からの反射光を対物レンズ１０６、ハーフミラー１０５、及び集光レンズ１０７を介して受光し、電気信号に変換して信号検出回路１０９に出力している。
【００２３】
受光部１０８が出力する電気信号はディスク１０に記録されたメディアＩＤ及び記録マーク列に対応しており、信号検出回路１０９は、電気信号に含まれるＲＦ信号とウォブル信号とを検出し、ＲＦ信号を符号判定回路１１０に出力するとともに、ウォブル信号を後述する符号判定回路１１５に出力している。
【００２４】
符号判定回路１１０は、例えばレベルスライスやＰＲＭＬ（Partial Response Maximum Likelihood）等の二値化処理によりＲＦ信号を符号化して符号化されたＲＦ信号から所定周期Ｔのクロック信号を生成し、符号化されたＲＦ信号をデコーダ１１１及び制御回路１１２に出力している。
【００２５】
デコーダ１１１は、符号化されたＲＦ信号をさらに復号化し、再生信号として出力している。
【００２６】
符号判定回路１１５は、信号検出回路１０９から入力されるウォブル信号に含まれるメディアＩＤを制御回路１１２に出力している。
【００２７】
制御回路１１２はＣＰＵ及びＲＡＭ、ＲＯＭ等のメモリ等を備えた周知のマイクロプロセッサであり、ストラテジ決定部１１２ａを有している。ストラテジ決定部１１２ａは、ディスク１０に対応するライトストラテジを決定するためのものであり、入力された信号、及び自己のメモリにあらかじめ記憶されたプログラムに基づいてストラテジ回路１０２に制御信号を出力している。本実施形態では、クロック信号及び二値化処理にて符号化されたＲＦ信号（以下、二値化ＲＦ信号という）と記憶回路１１３に記憶された標準記録条件とに基づいて、ストラテジ回路１０２が所定の記録パルスを生成するようにストラテジ回路１０２に制御信号を出力している。
【００２８】
記憶回路１１３は、ＥＥＰＲＯＭ等の書き換え可能な記憶素子等から構成されており、ウォブル信号に含まれるメディアＩＤに設定される標準記録条件を記憶している。
【００２９】
このようなドライブ１００とディスク１０で構成された記録システムの再生信号の品質は、ドライブ１００のばらつきとディスク１０のばらつきに左右されるため、この影響をライトストラテジが吸収するように記録パルスを設定することにより適切な品質の再生信号を得ることができる。
【００３０】
ディスク１０に形成される記録マーク列は、理論上、ドライブ１００の符号判定回路１０が生成するクロック信号の周期Ｔに対してｎＴ（ｎは正の整数）の長さを有しており、ディスク１０に記録されたメディアＩＤごとに例えばｎ＝３〜１４の整数となる長さの異なる複数の記録マークが形成され得る。各記録マークに対応する記録パルスはストラテジ回路１０２によって設定される。
【００３１】
図２に示すように、記録パルスは、単一のパルスパターンで構成されたシングルパルスを用いる場合（図２（ａ）参照）と、複数のパルスパターンで構成されたマルチパルスを用いる場合（図２（ｂ）参照）とがある。
【００３２】
シングルパルス２０Ａ及びマルチパルス２０Ｂはそれぞれ、記録パルスの先頭に位置するトップパルス２１、トップパルス２１に続く中間パルス２２、及び記録パルスの最後に位置するラストパルス２３から構成されている。
【００３３】
記録パルスには、トップパルス２１のエネルギー量（パワー）であって記録パルス全体のエネルギー量（パワー）を示すピークパワーＰｏ、記録パルス全体の長さを示す記録パルス長Ｔｒ、トップパルス２１のパルス幅を示すトップパルス幅Ｔｔ、記録パルス長Ｔｒからの開始位相の調整量を示す開始位相調整量Ｐｔ、ラストパルス２３のパルス幅を示すラストパルス幅Ｔｌ、及び記録パルス長Ｔｒからの終了位相の調整量を示す終了位相調整量Ｐｌが規定されており、シングルパルス２０Ａの場合はさらに、中間パルス２２のエネルギー量を示す中間パワーＰｍが規定されており、マルチパルス２０Ｂの場合はさらに、中間パルス２２を構成する単位パルスのパルス幅を示す中間単位パルス幅Ｔｍｐが規定されており、単位パルスの周期（Ｔｐ＋Ｔｍｐ）はクロック信号の周期Ｔに設定されている。
【００３４】
なお、図２に示した記録パルスは例示であり、例えば図３に示すように、シングルパルス２０Ａ及びマルチパルス２０Ｂにおいて最短記録マークに設定される記録パルスはトップパルス２１のみで構成され（図３（ａ）参照）、マルチパルス２０Ｂにおいて最短記録マークの次に短い記録マークに設定される記録パルスはトップパルス２１とラストパルス２３のみで構成される（図３（ｂ）参照）。従って、記録パルスは少なくともトップパルス２１を備えるように構成されている。
【００３５】
メディアＩＤに設定される標準記録条件は、ドライブ１００の製造業者が標準のドライブに対して任意のメディアＩＤにおける標準のディスクを装填し、記録パルスの所定の条件を変化させ記録特性が良好となる記録条件を実験的に求める。ドライブ１００の製造業者は、標準記録条件設定処理Ｓ１００を標準ドライブに装填されうる全てのメディアＩＤに対応した標準ディスクにおいて、それぞれの標準記録条件を求めドライブ１００の記憶回路１１３に記憶させる。これにより、各メディアＩＤに対する標準記録条件がドライブ１００に記憶される。
【００３６】
本実施形態では、標準記録条件をドライブ１００の記憶回路１１３に記憶するようにしたが、これに限定されず、図５に示すように、ディスク１０Ａにおいて記録情報を記録する記録領域１１の内側にある設定領域１２にディスク１０ＡのメディアＩＤに設定された標準記録条件を記録し、ドライブ１００がディスク１０Ａの設定領域１２から標準記録条件を再生するようにしてもよい。これにより、メディアＩＤに設定された標準記録条件がディスク１０Ａに記録され、メディア１０Ａに記録された標準記録条件がドライブ１００によって再生される。
【００３７】
図６（ａ）は標準記録条件を元に中間パルス条件を調整する標準記録条件調整処理Ｓ２００のフローチャートであり、図６（ｂ）は記録パルスがシングルパルス２０Ａの場合に図６（ａ）のステップにおいて調整対象となる部位を示した図であり、図６（ｃ）は記録パルスがマルチパルス２０Ｂの場合に図６（ａ）のステップにおいて調整対象となる部位を示した図であり、図６（ｄ）は図６（ａ）のステップにおいて調整対象と評価項目との関係を示したグラフである。
【００３８】
最初に、ドライブ１００に装填されたメディア１０を再生し、ストラテジ設定部１１２ａは符号化判定回路１１５から入力されるメディアＩＤを得て、メディアＩＤに設定された標準記録条件を記憶回路１１３から取得する（ステップＳ２０１）。
【００３９】
次に、ステップＳ２０１にて記憶回路１１３から取得した標準記録条件から複数の記録マークに設定された各記録パルスの全ての記録パルスの所定パワーを変化させた記録条件でテスト記録を行い、ディスク１０に記録されたテスト記録を再生して、ストラテジ決定部１１２ａは符号化判定回路１１０から入力される二値化ＲＦ信号を評価する所定の評価項目、例えばジッタの値が最少値となるように全ての記録パルスの所定パワーを調整する（ステップＳ２０２）。このとき、二値化ＲＦ信号の評価項目であるジッタは、記録パルスの所定パワーに対して最適点を極値とする二次曲線的な変化をする。また、所定の評価項目として再生信号のエラーの発生頻度を表すエラーレートを用いる場合も同様に、記録パルスの所定パワーに対して最適点を極値とする二次曲線的な変化をする。
【００４０】
本実施形態では、記録パルスの所定パワーとして図６（ｂ）、（ｃ）、（ｄ）のうちステップＳ２０２に対応した部分が示すように、ピークパワーＰｏを変化させて調整する。これにより、全ての記録パルスにおいて記録パルス全体のエネルギー量（パワー）が適切な値になる。
【００４１】
なお、本実施形態では複数の記録マークに設定された各記録パルスの全てを含む記録条件において全ての記録パルスの所定パワーを調整するようにしたが、これに限定されず、複数の記録マークに設定された各記録パルスの一部の記録パルスであっても同様の作用を期待しうる。
【００４２】
次に、ステップＳ２０２の処理にて全ての記録パルスのピークパワーＰｏを調整した記録条件から複数の記録マークに設定された各記録パルスのうち中間パルスを備える全ての記録パルスの中間パルスの所定条件を変化させた記録条件テスト記録を行い、メディア１０に記録されたテスト記録を再生して、ストラテジ決定部１１２ａは符号化判定回路１１０から入力される二値化ＲＦ信号を評価する所定の評価項目、例えばジッタの値が最少値となるように中間パルスを備える全ての記録パルスの中間パルスを調整する（ステップＳ２０３）。このとき、二値化ＲＦ信号の評価項目であるジッタは、記録パルスの中間パルスの所定条件に対して最適点を極値とする二次曲線的な変化をする。なお、所定の評価項目はジッタである場合に限定されず、例えば再生信号のエラーの発生頻度を表すエラーレート等を用いるようにしてもよい。このように、全ての記録パルスの所定パワーが調整された記録条件から中間パルスを備える全ての記録パルスの中間パルスの所定条件を変化させた記録条件でテスト記録を行い、該テスト記録の再生信号を評価する評価項目の値に基づいて全ての記録パルスの所定パワーが調整された記録条件における中間パルスを備える全ての記録パルスの中間パルスの所定条件を調整するので、従来のように多くの記録条件でテスト記録を行ったり、所定パワーが調整された記録条件から記録パルスの多くのパラメータを変更したり、記録マークごとにパラメータを変更したりする必要がない。
【００４３】
本実施形態では中間パルスの条件として図６（ｂ）、（ｃ）、（ｄ）のうちステップＳ２０３に対応した部分が示すように、シングルパルス２０Ａの場合は中間パルスの中間パワーＰｍを変化させ、マルチパルス２０Ｂの場合は中間パルスの各中間単位パルス幅Ｔｍｐを変化させて調整する。これにより、中間パルスを備える全ての記録パルスにおいて中間パルスが適切な形状になる。
【００４４】
ここで、記録パルスにおけるパワーと中間パルスとはディスク１０に形成される記録マーク列の品質、すなわち再生信号の品質への影響が最も大きい。従って、標準記録条件から記録パルスの所定パワーと中間パルスの所定条件とを変化させて調整することにより、再生信号の品質を向上させることができる。
【００４５】
なお、本実施形態では複数の記録マークに設定された各記録パルスのうち中間パルスを備える全ての記録パルスを含む記録条件において中間パルスを備える全ての記録パルスの中間パルスの所定条件を調整するようにしたが、これに限定されず、複数の記録マークに設定された各記録パルスのうち中間パルスを備える一部の記録パルスであっても同様の作用を期待しうる。
【００４６】
このように、本実施形態によれば、標準記録条件から複数の記録マークに設定された全ての記録パルスのピークパワーＰｏを変化させた記録条件でテスト記録を行い、該テスト記録の再生信号を評価する評価項目の値に基づいて標準記録条件における全ての記録パルスのピークパワーＰｏを調整するとともに、全ての記録パルスのピークパワーＰｏが調整された記録条件から中間パルスを備える全ての記録パルスの中間パワーＰｍ又は中間単位パルス幅Ｔｍｐを変化させた記録条件でテスト記録を行い、該テスト記録の再生信号を評価する評価項目の値に基づいて全ての記録パルスの所定パワーが調整された記録条件における中間パルスを備える全ての記録パルスの中間パワーＰｍ又は中間単位パルス幅Ｔｍｐを調整するので、従来のように多くの記録条件でテスト記録を行ったり、標準記録条件から記録パルスの多くのパラメータを変更したり、記録マークごとにパラメータを変更したりする必要がないとともに、記録パルスにおけるパワーと中間パルスとはディスク１０に形成される記録マーク列の品質、すなわち再生信号の品質への影響が最も大きいので、標準記録条件から記録パルスのピークパワーＰｏと中間パワーＰｍ又は中間単位パルス幅Ｔｍｐとを変化させて調整することにより、再生信号の品質を向上させることができるから、標準記録条件を短時間で調整することができ、再生信号におけるドライブ１００のばらつき及びディスク１０のばらつきによる影響を少なくする適切な品質の再生信号が得られる記録パルスを短時間で設定することができる。
【００４７】
また、メディアＩＤに設定された標準記録条件がドライブ１００に記憶されることから、標準記録条件を一から求める必要がなく、メディアＩＤに対応する標準記録条件からピークパワーＰｏと中間パワーＰｍ又は中間単位パルス幅Ｔｍｐとを変化させて調整すればよく、適切な品質の再生信号が得られる記録パルスを更に短時間で設定することができる。
【００４８】
また、メディアＩＤに設定された標準記録条件がディスク１０Ａに記録され、メディア１０Ａに記録された標準記録条件がドライブ１００に読み取られることから、標準記録条件を一から求める必要がなく、メディアＩＤに対応する標準記録条件からピークパワーＰｏと中間パワーＰｍ又は中間単位パルス幅Ｔｍｐとを変化させて調整すればよく、適切な品質の再生信号が得られる記録パルスを更に短時間で設定することができる。
【００４９】
さらに、標準記録条件から全ての記録パルスのピークパワーＰｏを変化させて調整するので、全ての記録パルスにおいて記録パルス全体のエネルギー量（パワー）が適切な値になることから、再生信号の品質を更に良くすることができる。
【００５０】
さらに、標準記録条件から中間パルスを備える全ての記録パルスの中間パワーＰｍ又は中間パルスの中間単位パルス幅Ｔｍｐを変化させて調整するので、中間パルスを備える全ての記録パルスの中間パルスが適切な形状になることから、再生信号の品質を更に良くすることができる。
【００５１】
図７乃至図１０は本発明の第２実施形態を示すもので、図７は標準記録条件における最短記録マークに設定する記録パルスを示す概念図、図８は標準記録条件における各記録マークに設定する記録パルスのトップパルス幅とラストパルス幅を示す概念図、図９は標準記録条件における各記録マークに設定する記録パルスのトップパルス開始位置とラストパルス終了位置を示す概念図、図１０はパワーの調整範囲を説明するグラフである。
【００５２】
第２実施形態と第１実施形態との相違点は、メディアＩＤに対応する標準記録条件を詳細に設定するようにしたことである。なお、前述した第１実施形態と同一構成部分は同一符号をもって表し、その説明を省略する。また、以下の説明において特に記載がない限り、メディアＩＤに対して長さｎＴ（ｎ＝３〜１４の整数）となる記録マークが対応するものとする。
【００５３】
すなわち、図７（ａ）に示すように、ドライブ１００の符号判定回路１０が生成するクロック信号に対して、図７（ｂ）に示すように、最短記録マークの二値化ＲＦ信号は長さ３Ｔのパルス信号となる。
【００５４】
例えば最短記録マークの二値化ＲＦ信号の長さＮＴ（Ｎ＝２以上の整数）に対して、標準記録条件における最短記録マークの記録パルス長Ｔｒ＝（Ｎ−１）Ｔを設定すると、図７（ｃ）に示す記録パルスがシングルパルス２０Ａの場合及び図７（ｄ）に示すマルチパルス２０Ｂの場合、何れの場合も記録パルス長Ｔｒ＝２Ｔが設定される。ここで、最短記録マークの記録パルスの記録パルス長Ｔｒは、記録速度に影響を受け、ディスク１０のばらつきによる影響が少ないことが経験上分かっている。また、情報が記録されたディスク１０において、最短記録マークが最も出現頻度が高く、マーク形成の要求精度が最も高いため、最短記録マークは再生信号の品質への影響が最も大きい。さらに、最短記録マークの記録パルスは、前述のようにトップパルスのみから構成されており、トップパルスの記録条件のうち、第１実施形態で示したように標準記録条件から記録パルスの所定パワー、すなわち最短記録マークの記録パルスのピークパワーＰｏが調整される。従って、標準記録条件において最短記録マークの記録パルス長Ｔｒを適切な値に設定することにより、再生信号の品質を向上させることができる。
【００５５】
また、図８（ａ）に示すクロック信号に対して、所定長さの記録マークの二値化ＲＦ信号、例えば長さ４Ｔの記録マークの二値化ＲＦ信号は図８（ｂ）に示すようなパルス信号になる。長さ４Ｔの記録マークの二値化ＲＦ信号に対して、図８（ｃ）に示す記録パルスがシングルパルス２０Ａの場合及び図８（ｄ）に示すマルチパルス２０Ｂの場合において、何れの場合にも標準記録条件における長さ４Ｔの記録マークのトップパルス幅Ｔｔを設定する。従って、標準記録条件において最短記録マーク以外の記録マークの記録パルスにおける各トップパルス幅Ｔｔを適切な値に設定することにより、再生信号の品質を向上させることができる。また、シングルパルス２０Ａ及びマルチパルス２０Ｂの何れの場合にも標準記録条件における長さ４Ｔの記録マークのラストパルス幅Ｔｌを設定する。ここで、記録パルスにおけるラストパルスはディスク１０に形成される記録マーク列の品質、すなわち再生信号の品質への影響が小さい。従って、標準記録条件において最短記録マーク以外の全ての記録マークの記録パルスにおけるラストパルス幅Ｔｌを適切な値に設定することにより、各記録パルスのラストパルスの調整を行う必要がない。
【００５６】
さらに、図９（ａ）に示すクロック信号に対して、所定長さの記録マークの二値化ＲＦ信号、例えば長さ５Ｔの記録マークの二値化ＲＦ信号は図９（ｂ）に示すようなパルス信号になる。長さ５Ｔの記録マークの二値化ＲＦ信号に対して、図９（ｃ）に示す記録パルスがシングルパルス２０Ａの場合及び図９（ｄ）に示すマルチパルス２０Ｂの場合、何れの場合にも標準記録条件における長さ５Ｔの記録マークの開始位相調整量Ｐｔ及び終了位相調整量Ｐｌを設定する。これにより、標準記録条件における各記録マークの記録パルスの各開始位相調整量Ｐｔ及び各終了位相調整量Ｐｌを適切な値に設定することにより、各記録マークの記録パルスの位相の調整を行う必要がない。
【００５７】
さらに、第１実施形態の図６（ａ）に示した標準記録条件調整処理Ｓ２００のステップＳ２０２において、図１０に示すように、所定パワーを変化させたときの所定の評価項目が目標とする値をゼロとする場合、ドライブ１００のばらつき及びディスク１０のばらつきを考慮して、所定の評価項目がゼロとなる所定パワーを含む調整範囲Ｐｃ１をあらかじめ標準記録条件に設定する。これにより、例えば調整範囲Ｐｃ２のように所定の評価項目が目標値とならない範囲で所定パワーの調整を行うことがない。
【００５８】
このように、本実施形態によれば、第１実施形態と同様の効果に加え、最短記録マークの記録パルスの記録パルス長Ｔｒは、記録速度に影響を受け、ディスク１０のばらつきによる影響が少ないことが経験上分かっている。また、情報が記録されたディスク１０において、最短記録マークが最も出現頻度が高く、マーク形成の要求精度が最も高いため、最短記録マークは再生信号の品質への影響が最も大きい。さらに、最短記録マークの記録パルスは、前述のようにトップパルスのみから構成されており、トップパルスの記録条件のうち、第１実施形態で示したように標準記録条件から記録パルスの所定パワー、すなわち最短記録マークの記録パルスのピークパワーＰｏが調整される。従って、標準記録条件において最短記録マークの記録パルス長Ｔｒを適切な値に設定することにより、再生信号の品質を向上させることができるから、更に適切な品質の再生信号が得られる記録パルスを設定することができる。
【００５９】
また、標準記録条件において最短記録マーク以外の記録マークの記録パルスにおける各トップパルス幅Ｔｔを適切な値に設定することにより、再生信号の品質を向上させることができるから、更に適切な品質の再生信号が得られる記録パルスを設定することができる。
【００６０】
さらに、記録パルスにおけるラストパルスはディスク１０に形成される記録マーク列の品質、すなわち再生信号の品質への影響が小さい。従って、標準記録条件において最短記録マーク以外の全ての記録マークの記録パルスにおけるラストパルス幅Ｔｌを適切な値に設定することにより、各記録パルスのラストパルスの調整を行う必要がないから、更に適切な品質の再生信号が得られる記録パルスを設定することができる。
【００６１】
さらに、標準記録条件における各記録マークの記録パルスの各開始位相調整量Ｐｔ及び各終了位相調整量Ｐｌを適切な値に設定することにより、各記録マークの記録パルスの位相の調整を行う必要がないから、更に適切な品質の再生信号が得られる記録パルスを設定することができる。
【００６２】
さらに、標準記録条件における全ての記録パルスの所定パワーの調整範囲Ｐｃ１を設定しているので、例えば調整範囲Ｐｃ２のように所定の評価項目が目標値とならない範囲でパワーの調整を行うことがないから、更に適切な品質の再生信号が得られる記録パルスを更に短時間で設定することができる。
【００６３】
図１１及び図１２は本発明の第３実施形態を示すもので、図１１は記録パルスのパワー比率と記録マークとの関係を説明する概念図、図１２はストラテジ決定部で標準記録条件を調整する方法を説明する概念図である。
【００６４】
第３実施形態と第１実施形態との相違点は、記録パルスがシングルパルス２０Ａの場合において、標準記録条件に中間パルスを備える全ての記録パルスにおけるピークパワーＰｏと中間パワーＰｍとの比率（以下、パワー比率Ｐｏ／Ｐｍという）を設定し、パワー比率Ｐｏ／Ｐｍに基づいて所定パワーを調整するようにしたことである。なお、前述した第１実施形態と同一構成部分は同一符号をもって表し、その説明を省略する。また、以下の説明において特に記載がない限り、メディアＩＤに対して長さｎＴ（ｎ＝３〜１４の整数）となる記録マークが対応するものとする。
【００６５】
図１１（ａ）は中間パルスを備える全ての記録パルスを含む記録条件を示す図、図１１（ｂ）はパワー比率Ｐｏ／Ｐｍが所定範囲よりも小さい場合の記録マークを示す図、図１１（ｃ）はパワー比率Ｐｏ／Ｐｍが所定範囲の場合の記録マークを示す図、図１１（ｄ）はパワー比率Ｐｏ／Ｐｍが所定範囲よりも大きい場合の記録マークを示す図である。
【００６６】
ここで、図１１（ａ）に示す記録条件において長さが３Ｔ、４Ｔ、及び５Ｔの記録パルスを含む場合、図１１（ｃ）に示すようにパワー比率Ｐｏ／Ｐｍが所定範囲の場合、各記録パルスに対応する記録マークの長さは、記録パルスの長さに対して一定比率で変化する。一方、図１１（ｂ）に示すようにパワー比率Ｐｏ／Ｐｍが所定範囲よりも小さい場合、各記録パルスに対応する記録マークの長さは、記録パルスの長さに対して一定比率よりも大きく変化する。また、図１１（ｄ）に示すようにパワー比率Ｐｏ／Ｐｍが所定範囲よりも大きい場合、各記録パルスに対応する記録マークの長さは、記録パルスの長さに対して一定比率よりも小さく変化する。よって、ディスク１０に形成される記録マーク列におけるスペースの長さは、前後の記録マークの長さにより決まるので、パワー比率Ｐｏ／Ｐｍが所定範囲よりも小さい場合、又はパワー比率Ｐｏ／Ｐｍが所定範囲よりも大きい場合、同じ長さのスペースを形成したいときでも、実際のスペースの長さは前後の記録マークの長さによって変化してしまい、スペースジッタが悪化する。従って、ドライブ１００のばらつき及びディスク１０のばらつきを考慮して、所定範囲内にあるパワー比率Ｐｏ／Ｐｍをあらかじめ標準記録条件に設定する。これにより、二値化ＲＦ信号の評価項目であるジッタは、記録パルスのパワー比率Ｐｏ／Ｐｍに対して最適点を極値とする二次曲線的な変化をする。
【００６７】
図１２（ａ）は標準記録条件を調整する標準記録条件調整処理Ｓ２００のフローチャートであり、図１２（ｂ）は記録パルスがシングルパルス２０Ａの場合に図１２（ａ）のステップにおいて調整対象となる部位を示した図であり、図１２（ｃ）は図１２（ａ）のステップにおいて調整対象と評価項目との関係を示したグラフである。
【００６８】
図１２（ａ）に示すように、第１実施形態の図６（ａ）に示した標準記録条件調整処理Ｓ２００と同様にステップＳ２０１の処理を行った後、ステップＳ２０２に代えてストラテジ決定部１１２ａは、パワー比率Ｐｏ／Ｐｍを一定に保ったままステップＳ２０１の処理にて記憶回路１１３から取得した記録パルスの標準記録条件から中間パルスを備える全ての記録パルスのピークパワーＰｏ及び中間パワーＰｍを変化させた記録条件でテスト記録を行い、ディスク１０に記録されたテスト記録を再生して、ストラテジ決定部１１２ａは二値化ＲＦ信号を評価する所定の評価項目、例えばジッタの値が最少値となるように中間パルスを備える全ての記録パルスのピークパワーＰｏ及び中間パワーＰｍを調整する（ステップＳ２０４）。これにより、パワー比率Ｐｏ／Ｐｍを所定範囲に保ったままピークパワーＰｏ及び中間パワーＰｍが調整される。
【００６９】
ステップＳ２０４の処理を行った後、第１実施形態の図６（ａ）に示した標準記録条件調整処理Ｓ２００と同様にステップＳ２０３の処理を行い、中間パワーＰｍを再調整する。
【００７０】
このように、本実施形態によれば、第１実施形態と同様の効果に加え、パワー比率Ｐｏ／Ｐｍを一定に保ったまま標準記録条件から中間パルスを備える全ての記録パルスのピークパワーＰｏ及び中間パワーＰｍを変化させた記録条件でテスト記録を行い、二値化ＲＦ信号を評価する所定の評価項目が最少値となるように中間パルスを備える全ての記録パルスのピークパワーＰｏ及び中間パワーＰｍを調整するので、パワー比率Ｐｏ／Ｐｍを所定範囲に保ったままピークパワーＰｏ及び中間パワーＰｍが調整され、その後、中間パワーＰｍが再調整されるから、更に適切な品質の再生信号が得られる記録パルスを更に短時間で設定することができる。
【００７１】
図１３乃至図１５は本発明の第４実施形態を示すもので、図１３は光情報記録装置の概略ブロック図、図１４は最短記録マーク及び最長記録マークの再生信号の振幅の関係を説明する概念図、図１５は最長記録マークの再生信号の振幅を説明する概念図である。
【００７２】
第４実施形態と第１実施形態との相違点は、所定パワー調整時における評価項目として、ジッタに代えてアシンメトリ又はベータを用いるようにしたことである。なお、前述した第１実施形態と同一構成部分は同一符号をもって表し、その説明を省略する。また、以下の説明において特に記載がない限り、メディアＩＤに対して長さｎＴ（ｎ＝３〜１４の整数）となる記録マークが対応するものとする。
【００７３】
すなわち、図１３に示すように、ドライブ１００Ａにはアシンメトリ検出回路１１４が設けられており、アシンメトリ検出回路１１４は信号検出回路１０９から入力されるＲＦ信号において振幅の評価項目であるアシンメトリを検出して、ストラテジ決定部１１２ａに出力している。
【００７４】
図１４に示すように、アシンメトリＡは最短記録マーク３Ｔのハイレベルの振幅Ｉ３Ｈ及びローレベルの振幅Ｉ３Ｌと、最長記録マーク１４Ｔのハイレベルの振幅Ｉ１４Ｈ及びローレベルの振幅Ｉ１４Ｌとから以下の式（１）で表される。
【００７５】
Ａ＝｛（Ｉ１４Ｈ＋Ｉ１４Ｌ）−（Ｉ３Ｈ＋Ｉ３Ｌ）｝／｛２×（Ｉ１４Ｈ−Ｉ１４Ｌ）｝  …（１）
ストラテジ決定部１１２ａは、最短記録マーク３Ｔ及び最長記録マーク１４Ｔの記録パルスを含む記録パターンにおいて、標準記録条件から最短記録マーク３Ｔ及び最長記録マーク１４Ｔの記録パルスの所定パワーを変化させたテスト記録を行い、ディスク１０に記録されたテスト記録を再生して、ストラテジ決定部１１２ａはアシンメトリ検出回路１１４から入力されたアシンメトリＡの値が目標値、例えばゼロとなるように最短記録マーク３Ｔ及び最短記録マーク１４Ｔの記録パルスの所定パワーを調整する。これにより、再生信号における最短記録マーク３Ｔと最長記録マーク１４Ｔのバランスを向上させることができる。
【００７６】
なお、アシンメトリ検出回路１１４はＲＦ信号の振幅の評価項目としてアシンメトリＡに代えてベータを検出するようにしてもよい。図１５に示すように、ベータβはＲＦ信号をＡＣカップリングし、すなわちＲＦ信号の直流成分を除去してＧＮＤレベルを基準としたときに、最長記録マーク１４Ｔのハイレベルの振幅とＧＮＤレベルとの差ａと、ローレベルの振幅とＧＮＤレベルとの差ｂとから以下の式（２）で表される。
【００７７】
β＝（ａ−ｂ）／（ａ＋ｂ）  …（２）
ストラテジ決定部１１２ａは、標準記録条件から最長記録マーク１４Ｔの記録パルスの所定パワーを変化させた記録条件でテスト記録を行い、ディスク１０に記録されたテスト記録を再生して、ストラテジ決定部１１２ａはアシンメトリ検出回路１１４から入力されたベータβの値が目標値、例えばゼロとなるように最長記録マーク１４Ｔの記録パルスの所定パワーを調整する。これにより、再生信号における最長記録マーク１４Ｔのバランスを向上させることができる。
【００７８】
このように、本実施形態によれば、標準記録条件から最短記録マーク３Ｔ及び最長記録マーク１４Ｔの記録パルスの所定パワーを変化させた記録条件でテスト記録を行い、ディスク１０に記録されたテスト記録を再生して、アシンメトリＡの値が目標値となるように最短記録マーク３Ｔ及び最長記録マーク１４Ｔの記録パルスの所定パワーを調整するので、再生信号における最短記録マーク３Ｔと最長記録マーク１４Ｔのバランスを向上させることができるから、第１実施形態と同様の効果を得ることができる。
【００７９】
また、標準記録条件から最長記録マーク１４Ｔの記録パルスのパワーを変化させた記録条件でテスト記録を行い、ディスク１０に記録されたテスト記録を再生して、ベータβの値が目標値となるように最長記録マーク１４Ｔの記録パルスのパワーを調整するので、再生信号における最長記録マーク１４Ｔのバランスを向上させることができるから、第１実施形態と同様の効果を得ることができる。
【００８０】
図１６乃至図２０は本発明の第５実施形態を示すもので、図１６は中間パルスを変化させたときのエラーレートのグラフ、図１７は中間パルスを変化させたときの位相検出値のグラフ、図１８は中間パルスを変化させたときのＰＲＳＮＲのグラフ、図１９は再生信号における記録マーク長のヒストグラム、図２０は再生信号における最短スペースの振幅を示す概念図である。
【００８１】
第５実施形態と第１実施形態との相違点は、中間パルスを備える全ての記録パルスの中間パルスをその他の評価項目に基づいて調整するようにしたことである。なお、前述した第１実施形態と同一構成部分は同一符号をもって表し、その説明を省略する。また、以下の説明において特に記載がない限り、メディアＩＤに対して長さｎＴ（ｎ＝２〜１１の整数）となる記録マークが対応するものとする。
【００８２】
すなわち、中間パルスを備える全ての記録パルスを含む記録パターンにおいて、ステップＳ２０２の処理にて全ての記録パルスの所定パワーを調整した記録条件から中間パルスを備える全ての記録パルスの中間パルスの所定条件を変化させた記録条件でテスト記録を行い、メディア１０に記録されたテスト記録を再生する。
【００８３】
図１６に示すように、ＲＦ信号における評価項目であるエラーレートは、中間パルスの所定条件の値がＰ１からＰ２の所定範囲で一定以上の品質が得られる目標値Ｖ０となる。従って、中間パルスの所定条件の最適値Ｐ０＝（Ｐ１＋Ｐ２）／２とすることで所定範囲の中央値を最適値として調整することができる。
【００８４】
また、図１７に示すように、記録パターンに含まれる記録マークの再生信号が所定の位相のとき、理論上の位相とのずれがなく再生信号の品質が良くなる。従って、クロック信号を基準とする記録マークの再生信号の位相検出値が目標値Ｖ０となる中間パルスの所定条件を最適値Ｐ０として調整することができる。
【００８５】
また、図１８に示すように、テスト記録を再生したＲＦ信号と理論上のＲＦ信号とのユークリッド距離による評価項目として、ＰＲＳＮＲ（Partial Response Signal to Noise Ratio）を用いる。ＰＲＳＮＲは再生信号の品質が良いほど値が大きくなるため、ＰＲＳＮＲが目標値Ｖ０となる中間パルスの所定条件を最適値Ｐ０として調整する。
【００８６】
また、図１９に示すように、テスト記録を再生したＲＦ信号において各記録マークの長さと頻度を測定する。理論上の再生信号では各記録マークの長さは２Ｔ〜１１Ｔの離散的な値となるが、実際のＲＦ信号では記録マークの長さが変化するため、２Ｔ〜１１Ｔの値から所定の幅をもった値となる。従って、テスト記録に含まれる記録マークにおいて、ＲＦ信号による長さと理論上のＲＦ信号による長さとの差を求め、この差が最小となる中間パルスの所定条件の値を最適値として調整することができる。
【００８７】
また、図２０に示すように、最短スペースを含む記録条件でテスト記録を行い、テスト記録を再生したＲＦ信号において、最短スペースの振幅ＩＳ１は、理論上、前後の記録マークの長さによらず一定となる（図２０（ｂ）参照）。しかし、前後の記録マークのエネルギーが不足していると、記録マークの長さは短くなり、記録マーク間の長さである最短スペースは長くなる（図２０（ａ）参照）。また、前後の記録マークのエネルギーが過多であると、記録マークの長さは長くなり、記録マークの間の長さである最短スペースは短くなる（図２０（ｃ）参照）。従って、ＲＦ信号において、最短スペースの振幅ＩＳ１が一定になるように中間パルスの所定条件を調整することで、最短記録マークの次に出現頻度が高い最短スペースの再生信号の品質を向上させることができる。
【００８８】
このように、本実施形態によれば、中間パルスを備える全ての記録パルスの中間パルスの所定条件をその他の評価項目に基づいて調整する場合でも、第１実施形態と同様の効果を得ることができる。
【００８９】
なお、前述の各実施形態の構成又は動作を組み合わせたり或いは一部の構成部分を入れ替えたりしたりしてもよい。
【００９０】
また、本発明の構成及び動作は前述の実施形態のみに限定されるものではなく、本発明の要旨を逸脱しない範囲内において種々変更を加えてもよい。
【図面の簡単な説明】
【００９１】
【図１】光情報記録装置の概略ブロック図
【図２】図１に示したストラテジ回路で生成される記録パルスの構成を説明する概念図
【図３】図２に示した記録パルスの他の例を示す概念図
【図４】図１に示した記憶回路に記録パルスの標準記録条件を設定する標準記録条件設定処理のフローチャート
【図５】図１に示したディスクの変形例を示す平面図
【図６】図１に示したストラテジ決定部で標準記録条件を調整する方法を説明する概念図
【図７】標準記録条件における最短記録マークに設定する記録パルスを示す概念図
【図８】標準記録条件における各記録マークに設定する記録パルスのトップパルス幅とラストパルス幅を示す概念図
【図９】標準記録条件における各記録マークに設定する記録パルスのトップパルス開始位置とラストパルス終了位置を示す概念図
【図１０】パワーの調整範囲を説明するグラフ
【図１１】記録パルスのパワー比率と記録マークとの関係を説明する概念図
【図１２】ストラテジ決定部で標準記録条件を調整する方法を説明する概念図
【図１３】光情報記録装置の概略ブロック図
【図１４】最短記録マーク及び最長記録マークの再生信号の振幅の関係を説明する概念図
【図１５】最長記録マークの再生信号の振幅を説明する概念図
【図１６】中間パルスを変化させたときのエラーレートのグラフ
【図１７】中間パルスを変化させたときの位相検出値のグラフ
【図１８】中間パルスを変化させたときのＰＲＳＮＲのグラフ
【図１９】再生信号における記録マーク長のヒストグラム
【図２０】再生信号における最短スペースの振幅を示す概念図
【符号の説明】
【００９２】
１０，１０Ａ…ディスク、２１…トップパルス、２２…中間パルス、２３…ラストパルス、１００，１００Ａ…ドライブ、１１２ａ…ストラテジ決定部、１１３…記憶回路、Ｐｏ…ピークパワー、Ｔｒ…記録パルス長、Ｔｔ…トップパルス幅、Ｐｔ…開始位相調整量、Ｔｌ…ラストパルス幅、Ｐｌ…終了位相調整量、Ｐｍ…中間パワー、Ｔｍｐ…中間単位パルス幅。
【図１】
2008159173.tif 000003
【図２】
2008159173.tif 000004
【図３】
2008159173.tif 000005
【図４】
2008159173.tif 000006
【図５】
2008159173.tif 000007
【図６】
2008159173.tif 000008
【図７】
2008159173.tif 000009
【図８】
2008159173.tif 000010
【図９】
2008159173.tif 000011
【図１０】
2008159173.tif 000012
【図１１】
2008159173.tif 000013
【図１２】
2008159173.tif 000014
【図１３】
2008159173.tif 000015
【図１４】
2008159173.tif 000016
【図１５】
2008159173.tif 000017
【図１６】
2008159173.tif 000018
【図１７】
2008159173.tif 000019
【図１８】
2008159173.tif 000020
【図１９】
2008159173.tif 000021
【図２０】
2008159173.tif 000022